(57)【要約】【課題】発信端末は、着信端末の状態を認識することができ、さらに、無効に回線捕捉することがなく、対応が早くなり、通信時間を節約することができるファクシミリ通信装置を提供することを目的とするものである。【解決手段】相手先装置との間でＩＴＵ−Ｔ勧告Ｖ．８に規定される手順を実行し、その手順に基づき上記相手先装置との間で実行可能な画伝送モードを設定するファクシミリ通信装置において、ＡＮＳａｍ信号を送信するＡＮＳａｍ信号送信手段と、ＣＭ信号を受信するＣＭ信号受信手段と、ＪＭ信号を送信するＪＭ信号送信手段と、上記ＣＭ信号によって着信端末からのファクシミリ送信が指定されたときに、着信端末は、送信すべき情報の有無に応じて、Ｖ．８プロトコル以降のプロトコルを変更する制御手段とを有するファクシミリ通信装置である。【選択図】　図１
2004023126.tif 000002
【特許請求の範囲】
【請求項１】
相手先装置との間でＩＴＵ−Ｔ勧告Ｖ．８に規定される手順を実行し、その手順に基づき上記相手先装置との間で実行可能な画伝送モードを設定するファクシミリ通信装置において、
ＡＮＳａｍ信号を送信するＡＮＳａｍ信号送信手段と；
ＣＭ信号を受信するＣＭ信号受信手段と；
ＪＭ信号を送信するＪＭ信号送信手段と；
上記ＣＭ信号によって着信端末からのファクシミリ送信が指定されたときに、着信端末は、送信すべき情報の有無に応じて、Ｖ．８プロトコル以降のプロトコルを変更する制御手段と；
を有することを特徴とするファクシミリ通信装置。
【請求項２】
請求項１において、
上記ＣＭ信号のコールファンクションカテゴリで、着信端末からのファクシミリ送信の指定を実行することを特徴とするファクシミリ通信装置。
【請求項３】
請求項１または請求項２において、
上記ＣＭ信号のコールファンクションカテゴリで、着信端末からのファクシミリ送信の指定が実行され、着信端末に送信すべき情報があれば、Ｖ．３４半二重でポーリング送信することを許可することを特徴とするファクシミリ通信装置。
【請求項４】
請求項１〜請求項３のいずれか１項において、
上記ＣＭ信号のコールファンクションカテゴリで、着信端末からのファクシミリ送信の指定を実行され、着信端末に送信すべき情報がなければ、Ｖ．２１プロトコルへ移行することを特徴とするファクシミリ通信装置。
【請求項５】
請求項４において、
上記ＣＭ信号のコールファンクションカテゴリで、着信端末からのファクシミリ送信の指定を実行され、着信端末に送信すべき情報がなければ、Ｖ．３４半二重でのポーリング送信することを許可しないことを特徴とするファクシミリ通信装置。
【請求項６】
請求項１または請求項２において、
上記ＣＭ信号のコールファンクションカテゴリで、着信端末からのファクシミリ送信の指定を実行され、着信端末に送信すべき情報がなければ、すぐに回線断とすることを特徴とするファクシミリ通信装置。
【請求項７】
相手先装置との間でＩＴＵ−Ｔ勧告Ｖ．８に規定される手順を実行し、その手順に基づいて、上記相手先装置との間で実行可能な画伝送モードを設定するファクシミリ通信方法において、
ＡＮＳａｍ信号を送信するＡＮＳａｍ信号送信段階と；
ＣＭ信号を受信するＣＭ信号受信段階と；
ＪＭ信号を送信するＪＭ信号送信段階と；
を有し、上記ＣＭ信号によって着信端末からのファクシミリ送信が指定されたときに、着信端末は、送信すべき情報の有無に応じて、Ｖ．８プロトコル以降のプロトコルを変更することを特徴とするファクシミリ通信方法。
【発明の詳細な説明】
【０００１】
【発明の属する技術分野】
本発明は、ファクシミリ通信方式、特にＩＴＵ−Ｔ勧告Ｖ．８通信が可能なファクシミリ通信方式に関する。
【０００２】
【従来の技術】
１９９４年、ＩＴＵ−Ｔにおいて、勧告Ｖ．８が成立し、このＶ．８に規定される手順をファクシミリ装置と、データ通信装置とに適用することが考えられる。このＶ．８による手順が適用されると、ＣＭ信号と、ＪＭ信号とのコールファンクションカテゴリで、ファクシミリ通信（発信端末からのファクシミリ送信、着信端末からのファクシミリ送信）を指定でき、または、データ通信の指定を実行する。また、ＣＭ信号のモジュレーションモードで、ファクシミリ通信のモジュレーション、データ通信のモジュレーションを指定する。
【０００３】
【発明が解決しようとする課題】
ファクシミリ装置では、主に、Ｖ．３４通信をサポートした装置から、Ｖ．８をサポートしている。最近では、増加しつつある。
【０００４】
ここで、発信端末からのＣＭ信号のコールファンクションカテゴリで、着信端末からのファクシミリ送信が指定され、すなわち、発信端末がポーリング受信を指定した場合、発信端末と着信端末とに、ともにＶ．３４半二重通信が可能であれば、着信端末に送信する原稿があるか否かとは無関係に、Ｖ．８プロトコルの終了後、Ｖ．３４手順、Ｖ．３４プライマリー電送へ移行する。
【０００５】
しかし、Ｖ．３４プロトコルのパラメータ交換までプロトコルが進んだ後に通信エラーになり、無効に回線を捕捉するという問題がある。
【０００６】
本発明は、発信端末からのＣＭ信号のコールファンクションカテゴリで、着信端末からのファクシミリ送信が指定され、すなわち、発信端末がポーリング受信を指定した場合に、発信端末、着信端末ともにＶ．３４半二重通信が可能であっても、着信端末に送信する原稿が無ければ、Ｖ．８プロトコルの終了後に、Ｖ．２１手順へ移行し、ＤＩＳ信号によって、送信情報が無いことを発信端末に、Ｖ．３４手順を実行時よりも早く知らせることが可能になり、発信端末は、着信端末の状態を認識することができ、さらに、無効に回線捕捉することがなく、対応が早くなり、通信時間を節約することができるファクシミリ通信装置およびファクシミリ送信方法を提供することを目的とするものである。
【０００７】
【課題を解決するための手段】
本発明は、相手先装置との間でＩＴＵ−Ｔ勧告Ｖ．８に規定される手順を実行し、その手順に基づき上記相手先装置との間で実行可能な画伝送モードを設定するファクシミリ通信装置において、ＡＮＳａｍ信号を送信するＡＮＳａｍ信号送信手段と、ＣＭ信号を受信するＣＭ信号受信手段と、ＪＭ信号を送信するＪＭ信号送信手段と、上記ＣＭ信号によって着信端末からのファクシミリ送信が指定されたときに、着信端末は、送信すべき情報の有無に応じて、Ｖ．８プロトコル以降のプロトコルを変更する制御手段とを有するファクシミリ通信装置である。
【０００８】
【発明の実施の形態および実施例】
［第１の実施例］
まず、ＩＴＵ−Ｔによって勧告化されたＶ．８の手順信号について説明する。
【０００９】
Ｖ．８の手順信号には、起呼メニュー信号（以下、ＣＭという）と、ＣＭ終端子（以下、ＣＪという）と、共通メニュー信号（以下、ＪＭという）とが含まれている。
【００１０】
ＣＭは、起呼ＤＣＥから送信される信号であり、この信号は、主に、起呼ＤＥＣで利用可能な変調方式を表示するために使用される。また、ＣＭは、勧告Ｖ．２１で定義された低域チャンネルＶ．２１（Ｌ）によって変調された３００ｂｉｔ／ｓの反復ビット列で構成されている。
【００１１】
ＣＪは、ＪＭを検出した確認とＣＭの終了とを示す信号である。また、ＣＪは、３００ｂｉｔ／ｓのＶ．２１（Ｌ）で変調され、スタートｂｉｔ／ｓとストップｂｉｔ／ｓとを含んでいる連続する３つの総て「０」のオクテットで構成されている。
【００１２】
ＪＭは、応答ＤＥＣから送信される信号であり、この信号は、主に、起呼と応答ＤＥＣとで共通した利用可能な変調方式を示すために使用される。また、ＪＭは、勧告Ｖ．２１で定義されている高域チャンネルＶ．２１（Ｈ）によって変調された３００ｂｉｔ／ｓの反復ビット列によって構成されている。
【００１３】
次に、ＣＭ、ＣＪ、ＪＭの各信号の符号化フォーマットについて、説明する。
【００１４】
ＣＭ、ＣＪ、ＪＭには、共通の符号化フォーマットが使用され、各信号ＣＭ、ＣＪ、ＪＭは、繰り返すビットシーケンスで構成されている。
【００１５】
図１１は、ＩＴＵ−Ｔ勧告Ｖ．８の手順信号に含まれるプリアンブルの構成を示す図である。
【００１６】
１つのシーケンスは、図１１に示すように、最初１０個の「１」と、それに続く１０ビットの同期符号と、さらに続く情報を載せたオクテットとによって構成されている。各オクテットのそれぞれには、先行するスタートビット（「０」）と、後続するストップビット（「１」）とが付加されている。
【００１７】
ＪＭには、同じＶ．２１（Ｈ）変調を使用している勧告Ｔ．３０との混乱を避けるために、そのビット配置にＨＤＬＣフラグ（０１１１１１１０）が決して現れないような、符号制約条件が課せられている。
【００１８】
各オクテットは、ある１つの情報カテゴリに属する。大多数の応用によって信号の簡潔さが守られれば、特別の応用のために情報カテゴリが拡張されることを、この符号化フォーマットは許容している。
【００１９】
１つのシーケンスの最初の情報カテゴリは、起呼機能でなければならない。それに後続する情報カテゴリのなかでは、特に順序は規定されない。１つのカテゴリの中の総ての情報は、１オクテットまたは、必要であれば、順序が決められた１つのオクテット・シーケンスで伝達される。
【００２０】
次に、カテゴリオクテットについて、説明する。
【００２１】
図１２は、ＩＴＵ−Ｔ勧告Ｖ．８の手順信号の情報カテゴリを決定するカテゴリオクテットのフォームを示す図である。
【００２２】
カテゴリオクテットは、新たな情報カテゴリの中では、最初に発生されるオクテットであり、このオクテットには、情報カテゴリを決定する４ビットの符号を含んでいる。
【００２３】
このフォーマットは、以下のように構成され、表示されたビットは、左から右の順番で送信される。
スタートビット　（０）　ｂ０　ｂ１　ｂ２　０　１　０　ｂ６　ｂ７　ストップビット　（１）
ビットｂ０〜ｂ３は、図１２に示すように、ｂ０を最下位ビットとしたカテゴリを形成し、ビットｂ４は、フラグが成立しないように「０」に設定される。また、ｂ５〜ｂ７は、情報カテゴリのオプションビットである。
【００２４】
３つのオプションビットで特定のカテゴリを表すのに不足する場合は、カテゴリオクテットの直後に、拡張オクテットをいくつでも続けることができる。
【００２５】
この拡張オクテットのフォーマットは、以下に示すように構成される。
スタートビット　（０）　ｂ０　ｂ１　ｂ２　０　１　０　ｂ６　ｂ７　ストップビット　（１）
ビットｂ０〜ｂ２、ｂ６およびｂ７は、そのときのカテゴリに追加される５つのビットである。ビットｂ４は、カテゴリオクテットから拡張オクテットを区別するために、「１」に設定され、ｂ３とｂ５とは、フラグが成立しないように「０」に設定される。
【００２６】
次に、ビットｂ０〜ｂ３で決定される情報カテゴリである起呼機能、変調モード、プロトコル、ＧＳＴＮアクセスについて、それぞれ図１３〜図１７を、説明する。
【００２７】
図１３は、起呼機能カテゴリ（コールファンクションカテゴリ）のビットの使用例を示す図である。
【００２８】
起呼機能カテゴリ（コールファンクションカテゴリ）の中の３つのオプションビットは、図１３に示すように、特定の起呼機能を指定するために、使用されている。
【００２９】
図１４は、ＩＴＵ−Ｔ勧告Ｖ．８の手順信号で指定する変調モード（モジュレーションモード）を示す図である。
【００３０】
ＰＳＴＮで使用可能なＶシリーズ変調モード（モジュレーションモード）は、図１４に示すように、３つの符号で指定されている。使用可能であるという設定は、表示された起呼機能の中で、その変調モードが使用可能であり、しかも、遠隔ＤＣＥに対し、その能力を伝えたいと望む場合に限られる。
【００３１】
図１５は、ＩＴＵ−Ｔ勧告Ｖ．８の手順信号のプロトコルカテゴリ内部の符号一覧を表す図である。
【００３２】
プロトコルカテゴリ内部の符号一覧は、図１５に表されている。もし、ＬＡＰＭプロトコル符号がＣＭで示され、それを受け取った応答ＤＣＥ側が、同じくＬＡＰＭを使用したい場合には、ＪＭでも、ＬＡＰＭを表示するプロトコルオクテットが表示される。
【００３３】
図１６は、ＩＴＵ−Ｔ勧告Ｖ．８の手順信号のＧＳＴＮに接続するセルラーアクセスを示す符号を表す図である。
【００３４】
ＧＳＴＮに接続するセルラーアクセスを表示する符号は、図１６に示されている。
【００３５】
次に、Ｖ．３４に規定されるＩＮＦＯ０の情報ビットについて、説明する。
【００３６】
図１７は、ＩＴＵ−Ｔ勧告によるＶ．３４のＩＮＦＯ０シーケンスのビット定義を示す図である。
【００３７】
ＩＮＦＯ０は、送信能力を表示するために使用される信号であり、その信号シーケンスのビットは、図１７に示すように、定義されている。
【００３８】
なお、本実施例では、ＩＮＦＯ０ａは、被呼側から送出する信号であるとし、ＩＮＦＯ０ｃを発呼側から送出する信号であるとする。
【００３９】
次に、上記実施例について、説明する。
【００４０】
図１は、本発明の第１の実施例であるファクシミリ装置ＦＳ１の構成を示すブロック図である。
【００４１】
ファクシミリ装置ＦＳ１は、図１に示すように、電話回線２ａに接続されている網制御装置（以下、ＮＣＵという。）２を備える。ＮＣＵ２は、電話網をデータ通信などに使用するための回線端末へ接続する等の電話交換網の接続制御、データ通信路への切替を行い、電話回線２ａと電話機４との接続、電話回線２ａとハイブリッド回路６との接続を選択的に切り換える。
【００４２】
ＮＣＵ２と電話機４とは、信号線２ｂで接続され、ＮＣＵ２とハイブリッド回路６とが、信号線２ｃで接続されている。ＮＣＵ２の切換動作は、後述する制御回路２０で制御される。制御回路２０から信号線２０ａを介して与えられる制御信号が「０」であるときに、電話回線２ａと電話機４との接続が行われる。これに対し、制御信号が「１」であるとき、電話回線２ａとハイブリッド回路６との接続が行われる。なお、通常状態では、電話回線２ａと電話機４との接続が選択されている。
【００４３】
ハイブリッド回路６は、電話回線２ａを介して送信される送信系からの送信信号と、電話回線２ａを介して受信される受信系への受信信号とを分離する。
【００４４】
送信系は、ＣＣＤ（電化結合素子）などの撮像素子と、光学系によって構成されている読取回路１４と、ＡＮＳａｍ送出回路１０とを有する。
【００４５】
読取回路１４は、主走査方向の１ライン分の画像を送信原稿から順次、読み取り、この読み取られた画像を示すデータは、信号線１４ａに出力される。
【００４６】
ＡＮＳａｍ送出回路１０は、信号線２０ｄを介して、制御回路２０からレベル「１」の信号が与えられたときに、信号線１０ａにＡＮＳａｍ信号を出力する。一方、信号線２０ｄを介して、制御回路２０からレベル「０」の信号が与えられたときに、ＡＮＳａｍ信号を信号線１０ａへは出力しない。
【００４７】
信号線１４ａを介して読取回路１４から出力されたデータは、制御回路２０に与えられる。制御回路２０は、信号線１４ａを介して取り込まれたデータを符号化処理し、信号線２０ｂを介して、上記符号化されたデータを、変復調器８に出力する。
【００４８】
変復調器８は、信号線２０ｂからの符号化されたデータを変調処理し、変調信号を生成するとともに、信号線６ａを介してハイブリッド回路６から取り込まれた受信信号を復調処理し、復調データを生成する。この変調処理と復調処理とは、ＩＴＵ−Ｔ勧告Ｖ．８、Ｖ．２１、Ｖ．２７ｔｅｒ、Ｖ．２９、Ｖ．１７、Ｖ．３４に基づいて実行される。変復調器８による変調、復調処理の内容は、信号線２０ｃを介して制御回路２０から与えられる信号によって指示され、この指示された変調、復調処理によって、伝送モードが決定される。
【００４９】
変復調器８で生成された変調信号は、信号線８ａを介して加算回路１２に与えられる。加算回路１２は、変復調器８からの変調信号と、ＡＮＳａｍ送出回路１０からのＡＮＳａｍ信号とを加算する。この加算された信号は、信号線１２ａを介してハイブリッド回路６に出力され、ハイブリッド回路６は、上記加算された信号を、送信信号としてＮＣＵ２経由で電話回線２ａに送出する。
【００５０】
一方、受信系では、信号線２ａを介して相手装置から受信した信号が、信号線６ａを介してハイブリッド回路６から変復調器８に出力される。変復調器８は、上記のように、信号線６ａを介して取り込まれた受信信号を復調処理し、復調データを生成する。変復調器８で生成された復調データは、信号線８ｂを介して制御回路２０に与えられる。制御回路２０は、復調データを復号化等の処理を施し、復号化されたデータは、信号線２０ｅを介して、記録回路１６に与えられる。
【００５１】
記録回路１６は、復号化されたデータが示す画像を、１ライン毎に順次、記録紙に記録する。
【００５２】
読取回路１４で読み取られたデータと、そのデータを符号化したデータと、受信したデータと、そのデータを復号化したデータとは、必要に応じてメモリ回路１８に格納される。
【００５３】
制御回路２０は、相手先装置から情報を受信し、相手先装置へ情報を送信するための伝送制御を行う。
【００５４】
この伝送制御を規定する伝送制御手順には、ＩＴＵ−Ｔ勧告Ｖ．８、Ｖ．２１、Ｖ．２７ｔｅｒ、Ｖ．２９、Ｖ．１７、Ｖ．３４半二重の各ファクシミリ手順が用いられている。
【００５５】
具体的には、相手先装置との間でＩＴＵ−Ｔ勧告Ｖ．８に規定される手順を実行し、その手順に基づいて、上記相手先装置との間で実行可能な画伝送モードを設定するファクシミリ通信装置において、ＡＮＳａｍ信号送信手段と、ＣＭ信号受信手段と、ＪＭ信号送信手段とを有し、ＣＭ信号によって着信端末からのファクシミリ送信が指定されたときに、着信端末は、送信すべき情報の有無によって、Ｖ．８プロトコル以降のプロトコルを変更する。ここで、ＣＭ信号のコールファンクションカテゴリで着信端末からのファクシミリ送信の指定を実行する。
【００５６】
ＣＭ信号のコールファンクションカテゴリで、着信端末からのファクシミリ送信の指定が実行されて、着信端末に送信すべき情報があれば、Ｖ．３４半二重でのポーリング送信することを許可する。
【００５７】
一方、ＣＭ信号のコールファンクションカテゴリで、着信端末からのファクシミリ送信の指定を実行し、着信端末に送信すべき情報がなければ、Ｖ．２１プロトコルへ移行する。ここでは、ＣＭ信号のコールファンクションカテゴリで着信端末からのファクシミリ送信の指定を実行し、着信端末に送信すべき情報がなければ、Ｖ．３４半二重でのポーリング送信することを許可しない。
【００５８】
制御回路２０は、上記制御を実行する。
【００５９】
図２、図３、図４、図５、図６、図７は、ファクシミリ装置ＦＳ１の動作を示すフローチャートである。
【００６０】
ステップＳ２では、信号線２０ａにレベル「０」の信号を出力し、ＣＭＬをオフし、ステップＳ４では、信号線２０ｄにレベル「０」の信号を出力することによって、ＡＮＳａｍ信号を出力しないように設定する。
【００６１】
ステップＳ６では、着呼が選択されたか否かを判定し、着呼が選択されないと、ステップＳ８が実行され、着呼が選択されると、ステップＳ１０を実行する。
【００６２】
ステップＳ８では、その他の処理を実行し、その他の処理を実行した後に、再びステップＳ２に戻る。
【００６３】
ステップＳ１０では、信号線２０ａにレベル「１」の信号を出力し、ＣＭＬをオンし、ステップＳ１２では、タイマＴ１に３５秒をセットし、ステップＳ１４では、信号線２０ｄにレベル「１」の信号を出力することによって、ＡＮＳａｍ信号を出力するように設定し、ステップＳ１６では、タイマに５秒をセットする。
【００６４】
ステップＳ１８では、ＣＭ信号を受信したか否かを判断し、ＣＭ信号を受信していれば、ステップＳ４６に進み、ＣＭ信号を受信していなければ、ステップＳ２０に進む。
【００６５】
ステップＳ２０では、タイマがタイムオーバしたか否かを判断し、タイマがタイムオーバしていれば、ステップＳ２２に進み、タイマがタイムオーバしていなければ、ステップＳ１８に進む。
【００６６】
ステップＳ２２では、送信情報があるか否かを判断し、送信情報があれば、ステップＳ２４に進み、送信情報がなければ、ステップＳ３０に進む。
【００６７】
ステップＳ２４では、Ｖ．２１のＮＳＦ／ＣＳＩ／ＤＩＳ信号を送信し、ここで、Ｖ．８の受信機能ありを通知し、また、ＤＩＳ信号のＦＩＦのｂｉｔ９＝１として送信情報ありを通知し、ステップＳ２６では、タイマＴ４に３秒をセットする。
【００６８】
ステップＳ２８では、タイマＴ１がタイムオーバしたか否かを判断し、タイマＴ１がタイムオーバしていれば、ステップＳ２に進み、タイマＴ１がタイムオーバしていなければ、ステップＳ３２に進む。
【００６９】
ステップＳ３０では、Ｖ．２１のＮＳＦ／ＣＳＩ／ＤＩＳ信号を送信し、ここで、Ｖ．８の受信機能ありを通知し、また、ＤＩＳ信号のＦＩＦのｂｉｔ９＝０として送信情報無しを通知する。
【００７０】
ステップＳ３２では、Ｖ．２１信号でのＮＳＳ／ＴＳＩ／ＤＣＳ信号を受信したか否かを判断し、Ｖ．２１信号でのＮＳＳ／ＴＳＩ／ＤＣＳ信号を受信していれば、ステップＳ３４に進み、Ｖ．２１信号でのＮＳＳ／ＴＳＩ／ＤＣＳ信号を受信していなければ、ステップＳ３６に進む。
【００７１】
ステップＳ３４では、Ｖ．２１の手順、Ｖ．２７ｔｅｒ、または、Ｖ．２９、または、Ｖ．１７の画信号を受信する。
【００７２】
ステップＳ３６では、Ｖ．２１信号でのＮＳＣ／ＣＩＧ／ＤＴＣ信号を受信したか否かを判断し、Ｖ．２１信号でのＮＳＣ／ＣＩＧ／ＤＴＣ信号を受信していれば、ステップＳ３８に進み、Ｖ．２１信号でのＮＳＣ／ＣＩＧ／ＤＴＣ信号を受信していなければ、ステップＳ４０に進む。
【００７３】
ステップＳ３８では、Ｖ．２１の手順、Ｖ．２７ｔｅｒ、または、Ｖ．２９、または、Ｖ．１７の画信号を送信する。
【００７４】
ステップＳ４０では、ＣＩ信号を受信したか否かを判断し、ＣＩ信号を受信していれば、ステップＳ１４に進み、ＣＩ信号を受信していなければ、ステップＳ４２に進む。
【００７５】
ステップＳ４２では、タイマＴ４がタイムオーバしたか否かを判断し、タイマＴ４がタイムオーバすれば、ステップＳ４４に進み、タイマＴ４がタイムオーバしなければ、ステップＳ３２に進む。
【００７６】
ステップＳ４４では、タイマＴ１がタイムオーバしたか否かを判断し、タイマＴ１がタイムオーバすれば、ステップＳ２に進み、タイマＴ１がタイムオーバしていなければ、ステップＳ２２に進む。
【００７７】
ステップＳ４６では、発信端末からのファクシミリ送信がコールファンクションカテゴリで指定されたか否かを判断し、発信端末からのファクシミリ送信がコールファンクションカテゴリで指定されていれば、ステップＳ４８に進み、発信端末からのファクシミリ送信がコールファンクションカテゴリで指定されていなければ、ステップＳ５８に進む。
【００７８】
ステップＳ４８は、ＪＭ信号を送信し、ここで、コールファンクションカテゴリで発信端末からのファクシミリ送信を指定し、また、モジュレーションモードはＣＭ信号で有りと指定され、かつ、自機の有するモジュレーション機能（Ｖ．２７ｔｅｒ、または、Ｖ．２９半二重、または、Ｖ．１７、または、Ｖ．３４半二重）を指定する。
【００７９】
ステップＳ５０では、ＣＪ信号を受信する。
【００８０】
ステップＳ５２では、Ｖ．３４半二重ファクシミリ通信であるか否かを判断し、Ｖ．３４半二重ファクシミリ通信であれば、ステップＳ５４に進み、Ｖ．３４半二重ファクシミリ通信でなければ、ステップＳ５６に進む。
【００８１】
ステップＳ５４では、ＩＮＦＯ０の送信、以後、Ｖ．３４手順、画信号の受信を実行し、ステップＳ５６では、Ｖ．２１の手順、Ｖ．２７ｔｅｒ、または、Ｖ．２９、または、Ｖ．１７の画信号を受信する。
【００８２】
ステップＳ５８では、着信端末からのファクシミリ送信がコールファンクションカテゴリで指定されたか否かを判断し、着信端末からのファクシミリ送信がコールファンクションカテゴリで指定されていると、ステップＳ６０に進み、着信端末からのファクシミリ送信がコールファンクションカテゴリで指定されていなければ、ステップＳ２に進む。
【００８３】
ステップＳ６０では、送信すべき情報があるか否かを判断し、送信すべき情報があれば、ステップＳ６２に進み、送信すべき情報がなければ、ステップＳ７２に進む。
【００８４】
ステップＳ６２では、ＪＭ信号を送信し、ここで、コールファンクションカテゴリで着信端末からのファクシミリ送信を指定し、また、モジュレーションモードはＣＭ信号で有りと指定され、かつ、自機の有するモジュレーション機能（Ｖ．２７ｔｅｒ、または、Ｖ．２９半二重、または、Ｖ．１７、または、Ｖ．３４半二重）を指定する。
【００８５】
ステップＳ６４では、ＣＪ信号を受信する。
【００８６】
ステップＳ６６では、Ｖ．３４半二重ファクシミリ通信であるか否かを判断し、Ｖ．３４半二重ファクシミリ通信であれば、ステップＳ６８に進み、Ｖ．３４半二重ファクシミリ通信でなければ、ステップＳ７０に進む。
【００８７】
ステップＳ６８では、ＩＮＦＯ０を送信した後に、Ｖ．３４手順、画信号の送信を実行し、ステップＳ７０では、Ｖ．２１の手順、Ｖ．２７ｔｅｒ、または、Ｖ．２９、または、Ｖ．１７の画信号の送信を実行する。
【００８８】
ステップＳ７２では、ＪＭ信号を送信し、ここで、コールファンクションカテゴリで着信端末からのファクシミリ送信を指定し、また、モジュレーションモードはＣＭ信号で有りと指定され、かつ、Ｖ．２７ｔｅｒ、または、Ｖ．２９半二重、または、Ｖ．１７を指定し、ここで、Ｖ．３４半二重を外すことが重要である。
【００８９】
ステップＳ７４では、ＣＪ信号を受信し、ステップＳ７６では、Ｖ．２１でＮＳＦ／ＣＳＩ／ＤＩＳ信号を送信し、ここで、ＤＩＳ信号のＦＩＦのｂｉｔ９＝０として送信情報の無いことを発信端末に通知する。
【００９０】
ステップＳ７８では、Ｖ．２１の手順、Ｖ．２７ｔｅｒ、または、Ｖ．２９、または、Ｖ．１７の画信号の受信があれば実行し、無ければ通信エラーとする。
【００９１】
次に、上述の伝送制御手順について説明する。
【００９２】
図９は、ファクシミリ装置ＦＳ１に適用される伝送制御手順（ＣＭ信号のコールファンクションカテゴリによって発信端末からのファクシミリ送信が指定され、これを実行する手順）の一例を示す図である。
【００９３】
図１０は、ファクシミリ装置ＦＳ１に適用される伝送制御手順（ＣＭ信号のコールファンクションカテゴリによって着信端末からのファクシミリ送信が指定され、これを実行する手順）の他の例を示す図である。
【００９４】
まず、被呼端末からのＡＮＳａｍ信号の受信からＶ．３４の手順、画伝送の実行までの伝送制御手順について説明する。
【００９５】
図９に示すように、被呼端末から全二重通信を可能にする信号（ＡＮＳａｍ信号であって２１００Ｈｚを１５Ｈｚで変調した信号）が送出される。発呼側からは、Ｖ．８に基づく変調によるＣＭ信号が送出され、このＣＭ信号によって画伝送時に実行可能な伝送モードが被呼端末に通知される。ＣＭ信号のコールファンクションカテゴリによって発信端末からのファクシミリ送信が指定される。
【００９６】
ＣＭ信号を受信した被呼端末は、ＣＭ信号で指定された伝送モードの中で受信可能な伝送モード（Ｖ．３４）を発呼端末に通知し、この通知にＪＭ信号が用いられる。
【００９７】
ＪＭ信号を受信した発呼端末は、ＣＪ信号を送出することによって、伝送モードを被呼端末に通知する。
【００９８】
ＣＪ信号送出後（Ｖ．８手順完了後５０ｍｓｅｃが経過した後）に、発呼端末は、Ｖ．３４手順の実行を開始し、電話回線２ａの状況をチェックするためのラインプルービング信号（先頭にＩＮＦＯ０ｃが付加されている）を送出する。被呼端末は、発呼端末からのラインプルービング信号に応答した信号（先頭にＩＮＦＯ０ａが付加されている信号）を送出し、この信号によって以後の送出レベル、振幅レベルの補正、伝送ボーレートを、発呼端末に通知する。
【００９９】
発呼端末は、ラインプルービング信号を送出してから５０ｍｓｅｃが経過した後に、ロングトレーニング信号を送出し、被呼端末は、このロングトレーニング信号に基づいて、モデムの等化器の調整、タイミング検出等を実施する。
【０１００】
発呼端末は、ロングトレーニング信号を送出してから５０ｍｓｅｃが経過した後に、パラメータ交換信号を送出する。被呼端末は、パラメータ交換信号に応答した信号を送出し、この信号によって、以後のリンク補正、ビットレートを発呼端末に通知する。
【０１０１】
パラメータ交換信号に応答した後、被呼端末は、ＣＳＩ、ＤＩＳ信号を送出し、発呼端末からのＴＳＩ、ＤＣＳ信号を受信するまでフラグを送出し、ＴＳＩ、ＤＣＳ信号を受信した後に、ＣＦＲ信号を送出する。発呼端末は、ＣＳＩ、ＤＩＳ信号を受信した後に、ＴＳＩ、ＤＣＳ信号を送出し、被呼端末からのＣＦＲ信号を受信するまで、フラグを送出する。
【０１０２】
発呼端末は、フラグを送出してから５０ｍｓｅｃ経過後に、Ｖ．３４による画伝送を開始し、画信号を送出する。画信号送出が終了してから５０ｍｓｅｃ経過後に、Ｖ．３４による手順が実行され、発呼端末からは、ＰＰＳ−ＭＰＳ信号が送出され、被呼端末からのＭＣＦ信号を受信するまで、フラグが送出される。被呼端末は、ＰＰＳ−ＭＰＳ信号を受信した後に、ＭＣＦ信号を送出する。
【０１０３】
フラグを送出してから５０ｍｓｅｃ経過後に、Ｖ．３４による画伝送が実行され、発呼端末からは、再び、画信号が送出される。画信号送出を終了してから５０ｍｓｅｃ経過後に、Ｖ．３４による手順が実行され、発呼端末は、ＰＰＳ−ＥＯＰ信号を送出し、ＭＣＦ信号を受信するまでフラグを送出する。被呼端末は、ＰＰＳ−ＥＯＰ信号を受信した後に、ＭＣＦ信号を送出する。以降、上記と同様の手順が、画伝送が終了するまで繰り返される。
【０１０４】
次に、着信端末からのファクシミリ送信について、説明する。
【０１０５】
まず、被呼端末からのＡＮＳａｍ信号の受信からＶ．３４の手順、画伝送の実行までの伝送制御手順について、説明する。
【０１０６】
図１０に示すように、被呼端末から全二重通信を可能にする信号（ＡＮＳａｍ信号であって２１００Ｈｚを１５Ｈｚで変調した信号）が送出される。発呼側からは、Ｖ．８に基づく変調によるＣＭ信号が送出され、このＣＭ信号によって画伝送時に実行可能な伝送モードが、被呼端末に通知される。ＣＭ信号のコールファンクションカテゴリによって着信端末からのファクシミリ送信が指定される。
【０１０７】
ＣＭ信号を受信した被呼端末は、ＣＭ信号で指定された伝送モードの中で送信可能な伝送モード（Ｖ．３４）を発呼端末に通知し、この通知にＪＭ信号が用いられる。
【０１０８】
ＪＭ信号を受信した発呼端末は、ＣＪ信号を送出することによって、伝送モードを被呼端末に通知する。
【０１０９】
ＣＪ信号を受信してから（Ｖ．８手順が完了してから）５０ｍｓｅｃが経過した後に、着呼端末は、Ｖ．３４手順の実行を開始し、電話回線２ａの状況をチェックするためのラインプルービング信号（先頭にＩＮＦＯ０ａが付加されている信号）を送出する。
【０１１０】
発呼端末は、着呼端末からのラインプルービング信号に応答した信号（先頭にＩＮＦＯ０ｃが付加されている信号）を送出し、この信号によって、以後の送出レベル、振幅レベルの補正、伝送ボーレートを、着呼端末に通知する。着呼端末は、ランプルービング信号を送出してから５０ｍｓｅｃが経過した後に、ロングトレーニング信号を送出し、発呼端末は、このロングトレーニング信号に基づいて、モデムの等化器の調整、タイミング検出等を実施する。
【０１１１】
着呼端末は、ロングトレーニング信号を送出してから５０ｍｓｅｃが経過した後に、パラメータ交換信号を送出する。発呼端末は、パラメータ交換信号に応答した信号を送出し、この信号によって、以後のリンク補正、ビットレートを着呼端末に通知する。
【０１１２】
着呼端末からＣＳＩ、ＤＩＳ信号を送信する。パラメータ交換信号に応答した後に、発呼端末は、ＣＩＧ、ＤＴＣ信号を送出し、着呼端末からのＴＳＩ、ＤＣＳ信号を受信するまでフラグを送出し、ＴＳＩ、ＤＣＳ信号を受信した後に、ＣＦＲ信号を送出する。着呼端末は、ＣＩＧ、ＤＴＣ信号を受信した後に、ＴＳＩ、ＤＣＳ信号を送出し、発呼端末からのＣＦＲ信号を受信するまで、フラグを送出する。
【０１１３】
着呼端末は、フラグを送出してから５０ｍｓｅｃ経過後に、Ｖ．３４による画伝送を開始し、画信号を送出する。画信号送出を終了してから５０ｍｓｅｃ経過後に、Ｖ．３４による手順が実行され、着呼端末からは、ＰＰＳ−ＭＰＳ信号が送出され、発呼端末からのＭＣＦ信号を受信するまで、フラグが送出される。発呼端末は、ＰＰＳ−ＭＰＳ信号受信後、ＭＣＦ信号を送出する。
【０１１４】
フラグを送出してから５０ｍｓｅｃ経過後に、Ｖ．３４による画伝送が実行され、着呼端末からは、再び、画信号が送出される。画信号送出を終了してから５０ｍｓｅｃ経過後に、Ｖ．３４による手順が実行され、着呼端末は、ＰＰＳ−ＥＯＰ信号を送出し、ＭＣＦ信号を受信するまでフラグを送出する。発呼端末は、ＰＰＳ−ＥＯＰ信号を受信した後に、ＭＣＦ信号を送出する。以降、上記と同様の手順が画伝送が終了するまで、繰り返される。
【０１１５】
［第２の実施例］
第２の実施例は、第１の実施例において、ＣＭ信号のコールファンクションカテゴリで、着信端末からのファクシミリ送信の指定を実行し、着信端末に送信すべき情報がなければ、すぐに回線断とする実施例である。
【０１１６】
図８は、第２の実施例の動作を示すフローチャートであり、図２〜図７に示すフローチャートと異なる部分のみを示すフローチャートである。
【０１１７】
ステップＳ８０で、Ｎｏである場合、つまり、送信すべき情報がない場合、
Ｓ８２では、ステップＳ２に戻る。
【０１１８】
【発明の効果】
本発明によれば、発信端末からのＣＭ信号のコールファンクションカテゴリで、着信端末からのファクシミリ送信が指定され、すなわち、発信端末がポーリング受信を指定した場合に、発信端末、着信端末ともにＶ．３４半二重通信が可能であっても、着信端末に送信する原稿が無ければ、Ｖ．８プロトコルの終了後に、Ｖ．２１手順へ移行し、ＤＩＳ信号によって、送信情報が無いことを発信端末に、Ｖ．３４手順を実行時よりも早く知らせることが可能になり、発信端末は、着信端末の状態を認識することができ、さらに、無効に回線捕捉することがなく、対応が早くなり、通信時間を節約することができるという効果を奏する。
【図面の簡単な説明】
【図１】本発明の第１の実施例であるファクシミリ装置ＦＳ１の構成を示すブロック図である。
【図２】ファクシミリ装置ＦＳ１の動作を示すフローチャートである。
【図３】ファクシミリ装置ＦＳ１の動作を示すフローチャートである。
【図４】ファクシミリ装置ＦＳ１の動作を示すフローチャートである。
【図５】ファクシミリ装置ＦＳ１の動作を示すフローチャートである。
【図６】ファクシミリ装置ＦＳ１の動作を示すフローチャートである。
【図７】ファクシミリ装置ＦＳ１の動作を示すフローチャートである。
【図８】第２の実施例の動作を示すフローチャートであり、図２〜図７に示すフローチャートと異なる部分のみを示すフローチャートである。
【図９】ファクシミリ装置ＦＳ１に適用される伝送制御手順（ＣＭ信号のコールファンクションカテゴリによって発信端末からのファクシミリ送信が指定され、これを実行する手順）の一例を示す図である。
【図１０】ファクシミリ装置ＦＳ１に適用される伝送制御手順（ＣＭ信号のコールファンクションカテゴリによって着信端末からのファクシミリ送信が指定され、これを実行する手順）の他の例を示す図である。
【図１１】ＩＴＵ−Ｔ勧告Ｖ．８の手順信号に含まれるプリアンブルの構成を示す図である。
【図１２】ＩＴＵ−Ｔ勧告Ｖ．８の手順信号の情報カテゴリを決定するカテゴリオクテットのフォームを示す図である。
【図１３】起呼機能カテゴリ（コールファンクションカテゴリ）のビットの使用例を示す図である。
【図１４】ＩＴＵ−Ｔ勧告Ｖ．８の手順信号で指定する変調モード（モジュレーションモード）を示す図である。
【図１５】ＩＴＵ−Ｔ勧告Ｖ．８の手順信号のプロトコルカテゴリ内部の符号一覧を表す図である。
【図１６】ＩＴＵ−Ｔ勧告Ｖ．８の手順信号のＧＳＴＮに接続するセルラーアクセスを示す符号を表す図である。
【図１７】ＩＴＵ−Ｔ勧告によるＶ．３４のＩＮＦＯ０シーケンスのビット定義を示す図である。
【符号の説明】
ＦＳ１…ファクシミリ装置、
１０…ＡＮＳａｍ信号送出回路、
１２…加算回路、
１４…読取回路、
１６…記録回路、
１８…メモリ回路、
２０…制御回路。
【図１】
2004023126.tif 000003
【図２】
2004023126.tif 000004
【図３】
2004023126.tif 000005
【図４】
2004023126.tif 000006
【図５】
2004023126.tif 000007
【図６】
2004023126.tif 000008
【図７】
2004023126.tif 000009
【図８】
2004023126.tif 000010
【図９】
2004023126.tif 000011
【図１０】
2004023126.tif 000012
【図１１】
2004023126.tif 000013
【図１２】
2004023126.tif 000014
【図１３】
2004023126.tif 000015
【図１４】
2004023126.tif 000016
【図１５】
2004023126.tif 000017
【図１６】
2004023126.tif 000018
【図１７】
2004023126.tif 000019